(57)【要約】【課題】  移動体通信端末の利便性を向上させる。【解決手段】  接続検出部１１１が移動体通信端末１００とクレードルとの接続を検出すると、スタイル検出部１５０が検出した移動体通信端末１００のスタイルと記憶部１８０に格納されている設定情報とに基づいて、アプリケーション制御部１１３がアプリケーション実行部１１４にアプリケーションの実行を指示する。この場合において、設定されているアプリケーションが表示部１４１を使用するものであれば、表示部１４１が前面となるスタイルの場合にアプリケーションを実行する。この場合、表示制御部１１５による表示制御をおこなってアプリケーションが実行される。また、設定されているアプリケーションがメインスピーカ１４３を用いるものであれば、メインスピーカ１４３が前面となるスタイルの場合にアプリケーションを実行する。【選択図】  図１１
2007049562.tif 000002
【特許請求の範囲】
【請求項１】
複数種類の形態で保持可能な筐体と、画像を表示する表示手段と、音声を出力するスピーカと、複数種類のアプリケーションを実行するアプリケーション実行手段と、を有する移動体通信端末において、
前記アプリケーションに関する設定情報を記憶する設定情報記憶手段と、
前記筐体で保持されている形態を判別する形態判別手段と、
充電台との接続を契機に、前記形態判別手段が判別した形態に基づいて、前記アプリケーション実行手段によるアプリケーションの実行を制御するアプリケーション制御手段と、を備え、
前記アプリケーション制御手段は、前記形態判別手段が判別した形態が特定の形態である場合、前記設定情報に基づいて、所定のアプリケーションを前記アプリケーション実行手段に実行させる、
ことを特徴とする移動体通信端末。
【請求項２】
前記アプリケーション制御手段は、前記形態判別手段によって判別された形態が、前記表示手段が前面となる形態である場合に、前記表示手段を用いるアプリケーションを前記アプリケーション実行手段に実行させる、
ことを特徴とする請求項１に記載の移動体通信端末。
【請求項３】
前記筐体は、複数の筐体から構成された２軸式の折りたたみ型筐体であり、
前記アプリケーション制御手段は、前記形態判別手段によって判別された形態が、前記移動体通信端末の前記表示手段が前面となって折りたたまれた形態である場合に、前記表示手段を用いるアプリケーションを前記アプリケーション実行手段に実行させる、
ことを特徴とする請求項２に記載の移動体通信端末。
【請求項４】
前記複数のアプリケーションは、テレビジョン放送受信機能に関するアプリケーションを含み、
前記アプリケーション制御手段は、前記形態判別手段によって判別された形態が、前記移動体通信端末の前記表示手段が前面となって折りたたまれた形態である場合に、前記テレビジョン放送受信機能に関するアプリケーションを前記アプリケーション実行手段に実行させ、
前記アプリケーション実行手段は、
前記テレビジョン放送受信機能に関するアプリケーションを実行した場合、所定のチャンネルの放送電波を受信して前記表示手段に表示させる、
ことを特徴とする請求項３に記載の移動体通信端末。
【請求項５】
前記設定情報記憶手段は、前記テレビジョン放送受信機能で受信するチャンネルを示す情報を前記設定情報として記憶し、
前記アプリケーション実行手段は、前記テレビジョン放送受信機能に関するアプリケーションを実行する場合、前記設定情報に示されるチャンネルを受信して前記表示手段に表示させる、
ことを特徴とする請求項４に記載の移動体通信端末。
【請求項６】
前記アプリケーション実行手段が前記表示手段を用いるアプリケーションを実行する場合、前記形態判別手段が判別した形態に基づいて、前記表示手段での表示方向を制御する表示制御手段をさらに備える、
ことを特徴とする請求項１乃至５のいずれか１項に記載の移動体通信端末。
【請求項７】
前記表示制御手段は、前記形態判別手段が判別した形態が、前記表示手段が前面となるよう折りたたまれた形態であることに基づいて前記アプリケーション実行手段が前記表示手段を用いるアプリケーションを実行した場合、横方向の表示方向となるよう前記表示手段を制御する、
ことを特徴とする請求項６に記載の移動体通信端末。
【請求項８】
前記アプリケーション制御手段は、前記形態判別手段によって判別された形態が、前記スピーカが前面となる形態である場合、前記スピーカを使用するアプリケーションを前記アプリケーション実行手段に実行させる、
ことを特徴とする請求項１乃至７のいずれか１項に記載の移動体通信端末。
【請求項９】
前記複数のアプリケーションは、オーディオ再生機能に関するアプリケーションを含み、
前記アプリケーション制御手段は、前記形態判別手段によって判別された形態が、前記スピーカが前面となる形態である場合に、前記オーディオ再生機能に関するアプリケーションを前記アプリケーション実行手段に実行させる、
ことを特徴とする請求項１乃至８のいずれか１項に記載の移動体通信端末。
【請求項１０】
前記設定情報記憶手段は、前記筐体によって保持される形態と実行するアプリケーションとを対応づけた設定情報を記憶し、
前記アプリケーション制御手段は、前記形態判別手段が判別した形態に対応するアプリケーションを前記アプリケーション実行手段に実行させる、
ことを特徴とする請求項１乃至９のいずれか１項に記載の移動体通信端末。
【請求項１１】
前記設定情報記憶手段は、前記移動体通信端末と前記充電台とを接続した際の実行対象アプリケーションがいずれであるかを示す情報を前記設定情報としてさらに記憶し、
前記アプリケーション制御手段は、前記形態判別手段が判別した形態に対応するアプリケーションが実行対象アプリケーションである場合に、当該アプリケーションを前記アプリケーション実行手段に実行させる、
ことを特徴とする請求項１０に記載の移動体通信端末。
【請求項１２】
前記アプリケーション制御手段は、
前記移動体通信端末と前記充電台とが接続されたことを契機に、前記設定情報に実行対象アプリケーションが設定されているか否かを判別する実行対象判別手段と、
前記実行対象判別手段により、実行対象アプリケーションが設定されていると判別された場合、前記形態判別手段から前記移動体通信端末の形態を示す形態情報を取得する形態情報取得手段と、をさらに備え、
前記形態情報取得手段が取得した形態情報が示す形態が、前記実行対象として設定されているアプリケーションに対応する形態である場合に、当該アプリケーションを前記アプリケーション実行手段に実行させる、
ことを特徴とする請求項１０または１１に記載の移動体通信端末。
【請求項１３】
前記アプリケーション制御手段は、前記移動体通信端末と前記充電台との接続が解除されたことを契機に、前記アプリケーション実行手段にアプリケーションの実行を終了させる、
ことを特徴とする請求項１乃至１２のいずれか１項に記載の移動体通信端末。
【請求項１４】
前記アプリケーション制御手段は、前記移動体通信端末と前記充電台とが接続された際に、前記アプリケーション実行手段がアプリケーションを実行しているか否かを判別し、実行している場合には、当該アプリケーションの実行を前記アプリケーション実行手段に継続させる、
ことを特徴とする請求項１乃至１３のいずれか１項に記載の移動体通信端末。
【請求項１５】
前記アプリケーション制御手段は、前記移動体通信端末と前記充電台とが接続された際において前記移動体通信端末がいずれの動作もおこなっていない場合に、前記アプリケーション実行手段がアプリケーションを実行しているか否かを判別する、
ことを特徴とする請求項１４に記載の移動体通信端末。
【請求項１６】
前記移動体通信端末と前記充電台とが接続された際に、前記移動体通信端末の電源がオフとなっているか否かを判別し、電源オフの場合に前記移動体通信端末の電源をオンする電源制御手段をさらに備え、
前記アプリケーション制御手段は、前記電源制御手段によって前記移動体通信端末の電源がオンされた場合に、前記アプリケーション実行手段を制御する、
ことを特徴とする請求項１乃至１５のいずれか１項に記載の移動体通信端末。
【請求項１７】
前記電源制御手段は、前記アプリケーション制御手段による前記アプリケーション実行手段の制御がされない場合に、前記移動体通信端末の電源をオフする、
ことを特徴とする請求項１６に記載の移動体通信端末。
【請求項１８】
移動体通信端末を制御するコンピュータに、
前記移動体通信端末で実行可能なアプリケーションに関する設定情報を前記移動体通信端末の記憶装置に格納する機能と、
前記移動体通信端末を充電台に接続した際の前記移動体通信端末の電源を制御する機能と、
前記移動体通信端末を前記充電台に接続した際の前記移動体通信端末の筐体の形態を認識する機能と、
前記認識した筐体の形態と、前記記憶装置に格納した前記設定情報とに基づいて、所定のアプリケーションの実行を制御する機能と、
前記認識した筐体の形態に基づいて、実行するアプリケーションの動作を制御する機能と、
を実現させることを特徴とするプログラム。
【発明の詳細な説明】
【技術分野】
【０００１】
本発明は、移動体通信端末、および、プログラムに関し、特に、利便性の向上に好適な移動体通信端末、および、プログラムに関する。
【背景技術】
【０００２】
携帯電話などの移動体通信においては、基本機能である通話機能以外の様々な機能が付加されており、例えば、１台の移動体通信端末でテレビジョン放送の受信やオーディオ再生などもできるようになっている。
【０００３】
このような、移動体通信端末の多機能化・高性能化に伴い、それぞれの機能の性能を十分に発揮させるための工夫も多くなされている。例えば、移動体通信端末の筐体が複数種類の形態（スタイル）に可変するようにすることで、利用する機能に応じた形態とすることができる。これにより、例えば、１つの表示画面を縦長方向と横長方向の両方で利用することができ、一般の画面表示の他にテレビジョン放送の表示などに好適な横長方向の大型画面表示を実現することができる。また、表示画面の大型化により表示面側には配置することが困難な大型の高品位スピーカなどは筐体外面に配置し、音楽再生などをおこなう場合には、スピーカのある面がユーザに向くよう、筐体を変化させて利用することができる。
【０００４】
このように、移動体通信端末に付随する装置の配置上の制約などが、可変筐体により解消されるので、専用機などと同等の性能で各機能が実現される場合も多い。このため、移動体通信端末の利用形態も携帯使用にとどまらず、例えば、家庭などにおいて、情報処理装置や家庭用電化製品として利用されることもある。
【０００５】
このような場合、バッテリ消費などを考慮すると、充電台（クレードル、スタンド）に移動体通信端末を載置し、商用電源の供給を受けながら利用する形態が多くとられていることが考えられる。このような利用形態を鑑み、充電台に載置した際の動作性能を向上させるために、例えば、充電台に接続されたアンテナ線によるテレビジョン受信をおこなうことで、受信状態を良好なものとする手法などが提案されている（例えば、特許文献１）。
【特許文献１】特開２００５−７３００５号公報
【発明の開示】
【発明が解決しようとする課題】
【０００６】
しかしながら、特許文献１に開示された手法では、受信状態を良好なものとすることができるが、充電時に実行する機能（アプリケーション）の選択などは手動でおこなう必要があり煩雑であった。
【０００７】
よって、充電台に接続したときの移動体通信端末の利便性を向上させる手法の確立が望まれている。特に、複数種類の形態（スタイル）に可変する筐体を有する移動体通信端末では、高性能な付加機能を多く有しているため、各機能の性能を十分に発揮させるとともに、利便性の向上を図ることのできる手法が望まれている。
【０００８】
本発明は、上記実状に鑑みてなされたものであり、より利便性の高い移動体通信端末を提供することを目的とする。
【課題を解決するための手段】
【０００９】
上記目的を達成するため、本発明の第１の観点にかかる移動体通信端末は、
複数種類の形態で保持可能な筐体と、画像を表示する表示手段と、音声を出力するスピーカと、複数種類のアプリケーションを実行するアプリケーション実行手段と、を有する移動体通信端末において、
前記アプリケーションに関する設定情報を記憶する設定情報記憶手段と、
前記筐体で保持されている形態を判別する形態判別手段と、
充電台との接続を契機に、前記形態判別手段が判別した形態に基づいて、前記アプリケーション実行手段によるアプリケーションの実行を制御するアプリケーション制御手段と、を備え、
前記アプリケーション制御手段は、前記形態判別手段が判別した形態が特定の形態である場合、前記設定情報に基づいて、所定のアプリケーションを前記アプリケーション実行手段に実行させる、
ことを特徴とする。
【００１０】
このような構成によれば、移動体通信端末を充電台（クレードル）に接続した際に、移動体通信端末の形態（スタイル）に応じたアプリケーションを自動的に実行させることができる。
【００１１】
上記移動体通信端末において、
前記アプリケーション制御手段は、前記形態判別手段によって判別された形態が、前記表示手段が前面となる形態である場合に、前記表示手段を用いるアプリケーションを前記アプリケーション実行手段に実行させることが望ましい。
【００１２】
このような構成によれば、例えば、移動体通信端末の表示装置（表示画面）が前面となる形態（スタイル）で充電台（クレードル）に接続された場合に、当該表示装置（表示画面）を用いるアプリケーションを自動的に実行させることができる。
【００１３】
上記移動体通信端末において、
前記筐体は、複数の筐体から構成された２軸式の折りたたみ型筐体とすることができ、この場合、
前記アプリケーション制御手段は、前記形態判別手段によって判別された形態が、前記移動体通信端末の前記表示手段が前面となって折りたたまれた形態である場合に、前記表示手段を用いるアプリケーションを前記アプリケーション実行手段に実行させることが望ましい。
【００１４】
このような構成によれば、２軸式の折りたたみ型の筐体を有する移動体通信端末で表示機能の性能を十分に発揮させるために設定されている、表示画面が前面となるように折りたたまれた形態（いわゆる、ビュースタイル）で充電台（クレードル）に接続された場合に、表示画面を用いるアプリケーション（例えば、テレビジョン放送受信機能やスライドショー機能に関するアプリケーション）が自動的に実行されるので、移動体通信端末が有する機能の性能を十分に発揮させるようにアプリケーションを自動実行させることができる。
【００１５】
上記移動体通信端末において、
前記複数のアプリケーションは、テレビジョン放送受信機能に関するアプリケーションを含んでいてもよく、この場合、
前記アプリケーション制御手段は、前記形態判別手段によって判別された形態が、前記移動体通信端末の前記表示手段が前面となって折りたたまれた形態である場合に、前記テレビジョン放送受信機能に関するアプリケーションを前記アプリケーション実行手段に実行させ、
前記アプリケーション実行手段は、
前記テレビジョン放送受信機能に関するアプリケーションを実行した場合、所定のチャンネルの放送電波を受信して前記表示手段に表示させることが望ましい。
【００１６】
この場合、
前記設定情報記憶手段は、前記テレビジョン放送受信機能で受信するチャンネルを示す情報を前記設定情報として記憶し、
前記アプリケーション実行手段は、前記テレビジョン放送受信機能に関するアプリケーションを実行する場合、前記設定情報に示されるチャンネルを受信して前記表示手段に表示させてもよい。
【００１７】
このような構成によれば、移動体通信端末がテレビジョン放送受信機能を有している場合、テレビジョン画面の表示に好適な形態（スタイル）で充電台（クレードル）に接続されたときに、テレビジョン受信機能を利用するためのアプリケーションが自動的に実行され、所定のチャンネルを受信して表示出力される。
【００１８】
上記移動体通信端末は、
前記アプリケーション実行手段が前記表示手段を用いるアプリケーションを実行する場合、前記形態判別手段が判別した形態に基づいて、前記表示手段での表示方向を制御する表示制御手段をさらに備えていることが望ましい。
【００１９】
この場合、
前記表示制御手段は、前記形態判別手段が判別した形態が、前記表示手段が前面となるよう折りたたまれた形態であることに基づいて前記アプリケーション実行手段が前記表示手段を用いるアプリケーションを実行した場合、横方向の表示方向となるよう前記表示手段を制御することが望ましい。
【００２０】
このような構成によれば、充電台（クレードル）に接続したときの移動体通信端末の形態（スタイル）に応じた好適な表示方向で表示させることができる。すなわち、複数方向で表示可能な表示装置を有している場合に、充電台と接続したときに好適な表示方向で表示させることができる。特に、２軸式の折りたたみ型筐体の移動体通信端末を表示画面が前面となるように折りたたんだ形態（いわゆる、ビュースタイル）である場合、横長方向の画面表示とすることで、例えば、テレビジョン放送画面やウェブページなどの表示に好適な表示とすることができる。
【００２１】
上記移動体通信端末において、
前記アプリケーション制御手段は、前記形態判別手段によって判別された形態が、前記スピーカが前面となる形態である場合、前記スピーカを使用するアプリケーションを前記アプリケーション実行手段に実行させることが望ましい。
【００２２】
このような構成によれば、例えば、移動体通信端末のスピーカが前面となる形態で充電台（クレードル）に接続された場合に、スピーカを用いるアプリケーションを自動的に実行させることができる。
【００２３】
上記移動体通信端末において、
前記複数のアプリケーションは、オーディオ再生機能に関するアプリケーションを含んでいてもよく、この場合、
前記アプリケーション制御手段は、前記形態判別手段によって判別された形態が、前記スピーカが前面となる形態である場合に、前記オーディオ再生機能に関するアプリケーションを前記アプリケーション実行手段に実行させることが望ましい。
【００２４】
このような構成によれば、移動体通信端末のスピーカが前面となる形態で充電台（クレードル）に接続された場合に、例えば、音楽再生機能のアプリケーションなどを自動的に実行させることができる。
【００２５】
上記移動体通信端末において、
前記設定情報記憶手段は、前記筐体によって保持される形態と実行するアプリケーションとを対応づけた設定情報を記憶してもよく、この場合、
前記アプリケーション制御手段は、前記形態判別手段が判別した形態に対応するアプリケーションを前記アプリケーション実行手段に実行させることが望ましい。
【００２６】
このような構成によれば、充電台（クレードル）に接続したときの移動体通信端末の形態（スタイル）に応じた好適なアプリケーションを自動的に実行させることができる。
【００２７】
上記移動体通信端末において、
前記設定情報記憶手段は、前記移動体通信端末と前記充電台とを接続した際の実行対象アプリケーションがいずれであるかを示す情報を前記設定情報としてさらに記憶してもよく、この場合、
前記アプリケーション制御手段は、前記形態判別手段が判別した形態に対応するアプリケーションが実行対象アプリケーションである場合に、当該アプリケーションを前記アプリケーション実行手段に実行させることが望ましい。
【００２８】
このような構成によれば、移動体通信端末を充電台（クレードル）に接続した際に、予め設定したアプリケーションを自動的に実行させることができる。
【００２９】
上記移動体通信端末において、
前記アプリケーション制御手段は、
前記移動体通信端末と前記充電台とが接続されたことを契機に、前記設定情報に実行対象アプリケーションが設定されているか否かを判別する実行対象判別手段と、
前記実行対象判別手段により、実行対象アプリケーションが設定されていると判別された場合、前記形態判別手段から前記移動体通信端末の形態を示す形態情報を取得する形態情報取得手段と、をさらに備えていてもよく、この場合、
前記形態情報取得手段が取得した形態情報が示す形態が、前記実行対象として設定されているアプリケーションに対応する形態である場合に、当該アプリケーションを前記アプリケーション実行手段に実行させることが望ましい。
【００３０】
このような構成によれば、自動実行対象のアプリケーションを予め設定した場合に、充電台（クレードル）に接続した時の移動体通信端末の形態（スタイル）が当該アプリケーションの実行に好適な形態であれば、当該アプリケーションが自動的に実行される。
【００３１】
上記移動体通信端末において、
前記アプリケーション制御手段は、前記移動体通信端末と前記充電台との接続が解除されたことを契機に、前記アプリケーション実行手段にアプリケーションの実行を終了させてもよい。
【００３２】
このような構成によれば、充電台（クレードル）に接続したことを契機に実行開始したアプリケーションを、充電台との接続が解除されたときに終了させることができる。よって、充電台を離れバッテリ駆動となった場合にアプリケーションの実行が終了するので、バッテリの消費を抑えることができる。
【００３３】
上記移動体通信端末において、
前記アプリケーション制御手段は、前記移動体通信端末と前記充電台とが接続された際に、前記アプリケーション実行手段がアプリケーションを実行しているか否かを判別し、実行している場合には、当該アプリケーションの実行を前記アプリケーション実行手段に継続させてもよい。
【００３４】
この場合、
前記アプリケーション制御手段は、前記移動体通信端末と前記充電台とが接続された際において前記移動体通信端末がいずれの動作もおこなっていない場合に、前記アプリケーション実行手段がアプリケーションを実行しているか否かを判別することが望ましい。
【００３５】
このような構成によれば、例えば、アプリケーションを実行中の移動体通信端末を充電台（クレードル）に接続した場合には、設定情報に設定されているアプリケーションの自動実行をおこなわずに、実行していたアプリケーションを継続実行させることができる。また、移動体通信端末を充電台（クレードル）に接続した時に、移動体通信端末が何らかの動作をおこなっている場合にも、設定情報に設定されているアプリケーションの自動実行をおこなわないように動作することができる。
【００３６】
上記移動体通信端末において、
前記移動体通信端末と前記充電台とが接続された際に、前記移動体通信端末の電源がオフとなっているか否かを判別し、電源オフの場合に前記移動体通信端末の電源をオンする電源制御手段をさらに備えていてもよく、この場合、
前記アプリケーション制御手段は、前記電源制御手段によって前記移動体通信端末の電源がオンされた場合に、前記アプリケーション実行手段を制御することが望ましい。
【００３７】
この場合、
前記電源制御手段は、前記アプリケーション制御手段による前記アプリケーション実行手段の制御がされない場合に、前記移動体通信端末の電源をオフすることが望ましい。
【００３８】
このような構成によれば、電源オフとなっている移動体通信端末を充電台（クレードル）に接続した場合に、電源をオンし、自動実行設定されているアプリケーションがあれば実行し、なければ電源をオフする。これにより、アプリケーションの自動実行設定がない場合には、移動体通信端末の電源がオフされて充電がおこなわれるので、充電効率を向上させることができる。
【００３９】
上記目的を達成するため、本発明の第２の観点にかかるプログラムは、
移動体通信端末を制御するコンピュータに、
前記移動体通信端末で実行可能なアプリケーションに関する設定情報を前記移動体通信端末の記憶装置に格納する機能と、
前記移動体通信端末を充電台に接続した際の前記移動体通信端末の電源を制御する機能と、
前記移動体通信端末を前記充電台に接続した際の前記移動体通信端末の筐体の形態を認識する機能と、
前記認識した筐体の形態と、前記記憶装置に格納した前記設定情報とに基づいて、所定のアプリケーションの実行を制御する機能と、
前記認識した筐体の形態に基づいて、実行するアプリケーションの動作を制御する機能と、
を実現させることを特徴とする。
【００４０】
このようなプログラムを適用することで、既存の移動体通信端末を上記移動体通信端末として機能させることができる。
【発明の効果】
【００４１】
本発明によれば、充電台に接続した移動体通信端末の形態に応じたアプリケーションを自動的に実行するので、利便性を向上させることができる。
【発明を実施するための最良の形態】
【００４２】
（実施形態１）
以下、図面を参照して、本発明にかかる実施形態を説明する。本実施形態では、携帯電話やＰＨＳ（Personal Handyphone System）に用いられる移動体通信端末に本発明を適用した場合を説明する。本発明の実施形態にかかる移動体通信端末１００を、図１を参照して説明する。図１は、移動体通信端末１００の外観構成を示す図である。
【００４３】
図示するように、本実施形態にかかる移動体通信端末１００は、２軸ヒンジ部ＤＨによって接続された２つの可動筐体部（筐体１００Ａと筐体１００Ｂ）による折りたたみ可能な構成を有している。図１では、移動体通信端末１００を展開した状態を示しており、移動体通信端末１００の通話機能を利用する際に用いられるスタイル（形態）を示している。すなわち、図１（ａ）に示すように、通話時に使用する受話用スピーカ１４２と送話用マイクロフォン１３２とが同一面上となるように展開したスタイルである。以下、このスタイルを「オープンスタイル」とする。また、本実施形態では、図１（ａ）に示されている面を移動体通信端末１００の主面とする。なお、図１（ｂ）は、オープンスタイル時の移動体通信端末１００の外面側の外観を示したものである。
【００４４】
本実施形態では、図１（ａ）に示すように、筐体１００Ａの主面上に受話用スピーカ１４２や表示画面（表示部１４１）などが配置され、筐体１００Ｂの主面上には、キーやボタンなどの操作部１３１や送話用マイクロフォン１３２などが配置されているものとする。また、図１（ｂ）に示すように、筐体１００Ａの外面上にメインスピーカ１４３などが配置されるものとする。よって、オープンスタイルで使用する際には、表示部１４１がユーザ側に向く方向（前面）となる。
【００４５】
ここで、移動体通信端末１００は、２軸ヒンジ部ＤＨによって筐体１００Ａが２方向に回転可能となるよう筐体１００Ｂに接続されることで、複数種類のスタイル（形態）に保持することができる。より詳細には、筐体１００Ａと接続された２軸ヒンジ部ＤＨが、筐体１００Ｂ側に固定されているヒンジベースＨＢ（右ヒンジベースＨＢ（Ｒ）と左ヒンジベースＨＢ（Ｌ））によって回転可能に保持されており、これにより、図２に示すようなＸ軸を中心とした回転方向の所定範囲内で、筐体１００Ａが可動するよう保持されることになる。Ｘ軸を中心に筐体１００Ａを回転させることで、移動体通信端末１００全体を開閉（展開←→折りたたみ）させることができる。
【００４６】
また、２軸ヒンジ部ＤＨと筐体１００Ａとも回転可能に接続されている。すなわち、２軸ヒンジ部ＤＨは、図２に示すようなＺ軸を中心軸として筐体１００Ａが水平方向に回転できるような可動部を有している。これにより、筐体１００Ａは、図２に示すＺ軸まわりの回転方向の所定範囲内（例えば、左右１８０°）で回転可能に筐体１００Ｂと接続される。
【００４７】
このような２軸ヒンジ部ＤＨによって可能となる移動体通信端末１００のスタイルの例を以下説明する。まず、図１に示したオープンスタイルの状態から、Ｘ軸を中心に筐体１００Ａを回転させ、筐体１００Ａの主面と筐体１００Ｂの主面とが対向するようにしたスタイルを図３に示す。このスタイルは、一般的な折りたたみ状態であり、以下「クローズスタイル」とする。図３において、図３（ａ）は移動体通信端末１００の側面図であり、図３（ｂ）は移動体通信端末１００の平面図である。
【００４８】
次に、図１に示したオープンスタイルの状態から、筐体１００ＡをＺ軸まわりに１８０°回転させたスタイルを図４に示す。この場合、筐体１００Ａが反転した状態であり、以下、このスタイルを「反転オープンスタイル」とする。図４において、図４（ａ）は移動体通信端末１００の平面図であり、図４（ｂ）は移動体通信端末１００の側面図である。反転オープンスタイルでユーザが移動体通信端末１００を保持した場合、筐体１００Ａの外面上に配置されているメインスピーカ１４３がユーザ側を向く方向（前面）となる。
【００４９】
さらに、図４に示した反転オープンスタイルの状態から、Ｘ軸を中心に筐体１００Ａを回転させ、筐体１００Ａの外面と筐体１００Ｂの主面とが対向するようにしたスタイルを図５に示す。このスタイルは、図３に示したクローズスタイルの筐体１００Ａが反転した状態であり表示部１４１が露出した状態となる。このスタイルは、表示部１４１に表示された写真画像や動画像などを鑑賞する場合に使用されるスタイルであり、以下、「ビュースタイル」とする。図５において、図５（ａ）は移動体通信端末１００の側面図であり、図５（ｂ）は移動体通信端末１００の平面図である。このようなビュースタイルは、表示部１４１の表示をユーザが鑑賞するために好適なスタイルとして設定されている。よって、ビュースタイルの移動体通信端末１００を使用する場合は、表示部１４１がユーザ側に向く方向（前面）となる。
【００５０】
このように、本実施形態にかかる移動体通信端末１００は、２軸ヒンジ部ＤＨで接続された可動筐体の位置や方向を変更させることで、以上の４つのスタイル（形態）を呈することができる。この場合において、オープンスタイルとビュースタイルでは、移動体通信端末１００の表示画面（表示部１４１）が露出し、反転オープンスタイルとクローズスタイルでは、移動体通信端末１００の音声出力装置（メインスピーカ１４３）が露出することになる。
【００５１】
また、移動体通信端末１００を携帯使用する際の動作電源となるバッテリへ充電する場合や、商用電源によって移動体通信端末１００を駆動させる場合は、所定の充電台（クレードル、スタンド）を用いるものとする。本実施形態では、図６に示すようなクレードル２００に移動体通信端末１００を載置して充電等をおこなう。
【００５２】
図６に示したクレードル２００は、移動体通信端末１００のスタイルがいずれであっても保持可能な形状となっている。すなわち、移動体通信端末１００がクローズスタイルもしくはビュースタイル（すなわち、折りたたまれた状態）では、図７に示すように、クレードル２００の上面部に移動体通信端末１００を載置することで保持する（図７ではビュースタイルの場合を例示）。また、移動体通信端末１００がオープンスタイルもしくは反転オープンスタイル（すなわち、展開された状態）では、図８に示すように、クレードル２００の筐体正面部分に形成された切り欠き部（図６参照）に移動体通信端末１００の筐体１００Ｂの部分が挿入されることで保持する（図８では反転オープンスタイルの場合を例示）。
【００５３】
移動体通信端末１００がいずれのスタイルであっても給電できるよう、クレードル２００の上面部と切り欠き部の双方に給電用のコネクタが配置される。これらのコネクタは、載置した移動体通信端末１００のコネクタ部１６０と係合する位置に配置される。本実施形態では、移動体通信端末１００のコネクタ部１６０がクレードル２００の給電用コネクタと係合するように接続したときに、クレードル２００の正面側（すなわち、操作するユーザと対向する側）となる移動体通信端末１００の面を前面とする。例えば、図７に示すようなビュースタイルでクレードル２００に接続した場合は、表示部１４１のある筐体１００Ａの主面が前面となっており、図８に示すような反転オープンスタイルでクレードル２００と接続した場合は、メインスピーカ１４３のある筐体１００Ａの外面が前面となっている。
【００５４】
このようなクレードル２００は、商用電源用のコンセントやコードなどを備えており、これらによって商用電源を取得する。そして、移動体通信端末１００の載置によりコネクタ同士が接続されると、取得した商用電源を順次移動体通信端末１００に供給する。
【００５５】
本実施形態では、図９に示すように、筐体１００Ｂの主面に向かって左側の側面部にコネクタ部１６０が配置されるものとする。図９は、オープンスタイル状態の移動体通信端末１００の両側面を示す図であり、主面に向かって左側側面を図９（ａ）に示し、主面に向かって右側側面を図９（ｂ）に示している。
【００５６】
次に、このような移動体通信端末１００の各構成を、図１０（図１）を参照して説明する。図１０は、移動体通信端末１００の構成を示すブロック図である。
【００５７】
図示するように、移動体通信端末１００は、制御部１１０、通信制御部１２０、入力部１３０、出力部１４０、スタイル検出部１５０、コネクタ部１６０、電源部１７０、記憶部１８０、などから構成される。
【００５８】
制御部１１０は、例えば、ＣＰＵ（Central Processing Unit：中央演算処理装置）やワークエリアとなる所定の記憶装置（ＲＡＭ（Random Access Memory）など）から構成され、移動体通信端末１００の各部を制御するとともに、記憶部１８０に格納されている所定の動作プログラムに基づいて後述する各処理を実行する。なお、後述する移動体通信端末１００の各構成はそれぞれ制御部１１０と接続されており、各構成間でのデータ授受などは制御部１１０を介しておこなわれるものとする。
【００５９】
通信制御部１２０は、例えば、所定の無線通信回路などから構成され、所定のアンテナ部１２４を介した無線通信をおこなう。通信制御部１２０はさらに、音声通信部１２１、データ通信部１２２、放送受信部１２３、などを有する。
【００６０】
音声通信部１２１は、移動体通信端末１００の電話機能（音声通話機能）にかかる通信を制御する。ここでは、例えば、アンテナ部１２４を制御して、移動体通信網などの電話回線網を介した音声通話のための無線通信をおこなうとともに、音声の符号化処理や復号処理などをおこなう。
【００６１】
データ通信部１２２は、移動体通信端末１００のデータ通信機能にかかる通信を制御する。本実施形態では、例えば、インターネットなどのＩＰ網を介したデータ通信を介しておこなうものとし、データ通信部１２２がアンテナ部１２４を制御することで、データ通信網への無線接続やデータ送受信がおこなわれる。
【００６２】
なお、音声通信部１２１およびデータ通信部１２２は、移動体通信端末１００に移動体通信サービスを提供する事業体（いわゆる、キャリア）が提供する基地局との間の無線通信をおこなう。
【００６３】
放送受信部１２３は、アンテナ部１２４を介してテレビジョン放送電波やラジオ放送電波などといった放送電波の受信をおこなう。
【００６４】
アンテナ部１２４は、例えば、所定のアンテナ回路やアンテナ線などから構成されたアンテナ装置であり、少なくとも、移動体通信と放送電波受信の双方に対応したものである。
【００６５】
入力部１３０は、操作部１３１や送話用マイクロフォン１３２などから構成され、移動体通信端末１００に対するユーザ入力のためのインタフェースとして機能する。
【００６６】
操作部１３１は、ユーザによって操作される所定のボタンやキーなど（例えば、文字キー（テンキー）や機能ボタン、十字キーなど）から構成され（図１参照）、ユーザ操作に応じた入力信号を制御部１１０に入力する。
【００６７】
送話用マイクロフォン１３２は、筐体１００Ｂの主面上に構成されたマイクロフォンであり（図１参照）、音声通話時のユーザ発話音声を入力する。
【００６８】
出力部１４０は、表示部１４１、受話用スピーカ１４２、メインスピーカ１４３などから構成され、種々の情報を出力する。
【００６９】
表示部１４１は、例えば、筐体１００Ａの主面上に配置された液晶表示装置などから構成され（図１参照）、移動体通信端末１００の機能にかかる種々の画面を表示する。本実施形態では、移動体通信端末１００を操作する上で必要となる各種画面が表示される他、後述するアプリケーションの実行による再生画像などを表示出力する。
【００７０】
受話用スピーカ１４２は、筐体１００Ａの主面上に構成されたスピーカであり（図１参照）、音声通話時の受話音声などを出力する。
【００７１】
メインスピーカ１４３は、筐体１００Ａの外面上に構成されたスピーカであり（図１参照）、着信音などを出力する他、後述するアプリケーションの実行による再生音声などを出力する。また、本実施形態にかかるメインスピーカ１４３は、一対のスピーカ装置から構成されたステレオスピーカとする。この場合、図１に示したメインスピーカ１４３の配置における左右一対のスピーカ装置によってステレオ再生されるものとする。したがって、メインスピーカ１４３による音声再生をおこなう場合は、メインスピーカ１４３が図１に示すような左右方向となることで、メインスピーカ１４３の音声再生性能が十分に発揮されることになる。
【００７２】
スタイル検出部１５０は、例えば、所定のセンサ装置などから構成され、移動体通信端末１００のスタイルがいずれであるかを検出する。より詳細には、移動体通信端末１００の開閉状態を検出するための開閉検出センサ１５１や、筐体１００ＡのＺ軸まわりの回転角を検出するための回転検出センサ１５２、などを備え、これらのセンサの検出情報に基づいて移動体通信端末１００のスタイルを検出する。
【００７３】
コネクタ部１６０は、クレードル２００との接続用のコネクタであり、受電用端子などから構成される。コネクタ部１６０は、クレードル２００に配置されている給電用のコネクタと対をなし、それぞれが接続されることで、クレードル２００から受電して電源部１７０に供給する。
【００７４】
電源部１７０は、所定の電源回路や充電式バッテリなどから構成され、クレードル２００と接続されたコネクタ部１６０を介して供給された商用電源をバッテリに充電する他、クレードル２００から供給される電力やバッテリに蓄積された電力を移動体通信端末１００の各部に供給する。
【００７５】
記憶部１８０は、例えば、ＲＯＭ（Read Only Memory）やフラッシュメモリなどといった所定の記憶装置から構成され、制御部１１０が実行する動作プログラムの他、各処理の実行に必要なデータや各処理の実行によって生成されたデータなどを格納する。特に、本実施形態では、移動体通信端末１００のテレビジョン受信機能に関する設定情報Ｓ１（詳細後述）などを格納する。
【００７６】
記憶部１８０に格納される動作プログラムは、移動体通信端末１００の基本動作を司る任意の基本プログラムなどの他に、後述する各処理を実現するための動作プログラムが格納されている。後述する移動体通信端末１００による処理は、制御部１１０がこれらの動作プログラムを実行することで実現される。すなわち、記憶部１８０に格納されている動作プログラムを実行することで、制御部１１０は、図１１に示すような構成として機能する。図示するように、制御部１１０は、接続検出部１１１、設定部１１２、アプリケーション制御部１１３、アプリケーション実行部１１４、表示制御部１１５、電源制御部１１６、などとして機能する。
【００７７】
接続検出部１１１は、電源部１７０との協働により、移動体通信端末１００とクレードル２００との接続および接続解除を検出する。
【００７８】
設定部１１２は、操作部１３１や記憶部１８０との協働により、アプリケーションの実行に関する種々の設定（以下、「アプリケーション設定」とする）に関する処理をおこなう。設定部１１２は、操作部１３１のユーザ操作に基づいた設定情報Ｓ１の作成や、設定変更などをおこなって記憶部１８０に格納する。なお、設定部１１２は、アプリケーション設定に必要な種々の画面を生成して表示部１４１に表示させるものとする。本実施形態では、移動体通信端末１００をクレードル２００に接続した際に自動的に起動させるアプリケーションをいずれにするか（自動起動設定）などをユーザが設定する。
【００７９】
アプリケーション制御部１１３は、スタイル検出部１５０や記憶部１８０などとの協働により、移動体通信端末１００のスタイルと設定情報Ｓ１に応じたアプリケーションをアプリケーション実行部１１４に実行させる。
【００８０】
アプリケーション実行部１１４は、移動体通信端末１００で実行可能なアプリケーションを実行するものであり、本実施形態では、アプリケーション制御部１１３による制御に基づいて、クレードル２００との接続時にアプリケーションを実行する。ここで、本実施形態にかかる移動体通信端末１００では、基本機能である音声通話機能以外の種々の機能をアプリケーションによって実現するものとし、各アプリケーション用のプログラムを制御部１１０が実行することで、各アプリケーションの動作をおこなう。本実施形態では、例えば、テレビジョン受信機能、ラジオ受信機能、オーディオ再生機能（音楽再生機能）、スライドショー機能、待ち受け画面表示機能などといった機能をアプリケーションによって実現する。したがって、これらの機能に応じたアプリケーション用プログラムが記憶部１８０に格納されており、制御部１１０がこれらのプログラムを実行することで各アプリケーションが実現される。
【００８１】
表示制御部１１５は、出力部１４０などと協働し、アプリケーション実行部１１４の実行するアプリケーションとスタイル検出部１５０が検出した移動体通信端末１００のスタイルとに基づいて表示部１４１の表示画面を制御する。本実施形態では特に、画面表示方向の制御などをおこなう。
【００８２】
電源制御部１１６は、設定情報Ｓ１などに基づいて電源部１７０を制御し、移動体通信端末１００の電源オン／オフなどをおこなう。
【００８３】
本実施形態では、制御部１１０によって上記機能構成が論理的に実現されるが、例えば、ＡＳＩＣ（Application Specific Integrated Circuit：特定用途向け集積回路）などの専用回路によって構成することで、これらの機能を物理的な構成によって実現してもよい。
【００８４】
また、記憶部１８０には、各アプリケーションの実行条件を示した実行条件情報Ｃ１が予め格納されている。本実施形態では、ユーザによるアプリケーションの自動起動設定で起動させるアプリケーションの実行条件を示すものとする。
【００８５】
図１２に、記憶部１８０に格納される実行条件情報Ｃ１の例を示す。例えば、画面表示が必要となるテレビジョン受信機能については、表示画面が前面となるようクレードル２００に接続されることが実行条件となる。同様に、画面表示が必要なスライドショー機能についても、表示画面が前面となることが実行条件となる。一方、音声出力が必要となるオーディオ再生機能については、メインスピーカが前面となるようクレードル２００に接続されることが実行条件となる。同様に、音声出力が必要なラジオ受信機能についても、メインスピーカが前面となることが実行条件となる。
【００８６】
また、図１２に示すように、実行条件情報Ｃ１には、自動起動フラグが付加されている。この自動起動フラグは、クレードル２００との接続時に自動起動させるアプリケーションが設定部１１２によって設定された場合、当該アプリケーションに対応するフラグがセットされる（フラグ値０→１）。
【００８７】
さらに、実行条件情報Ｃ１には、アプリケーション毎のオプション設定情報が記録される。このオプション設定情報は、自動起動フラグがセットされたアプリケーションを自動起動する際の動作設定を示すものであり、アプリケーションに応じた設定がされる。例えば、テレビジョン受信機能やラジオ受信機能のアプリケーションについては、自動起動時に受信するチャンネルなどが設定される。また、オーディオ再生機能やスライドショー機能のアプリケーションについては、自動起動時に再生する音声データや画像データの格納場所などが設定される。
【００８８】
すなわち、実行条件情報Ｃ１は、自動起動フラグやオプション設定情報が加味されることで、アプリケーションの設定を示す設定情報（以下、「設定情報Ｓ１」とする）としても機能する。
【００８９】
以上説明した移動体通信端末１００の各構成は、本発明を実現するために必要な構成であり、移動体通信端末としての基本機能に必要なその他の構成や、種々の付加機能に必要な構成などは、必要に応じて備えられているものとする。
【００９０】
以上のような構成を有する移動体通信端末１００による動作を以下説明する。まず、移動体通信端末１００でアプリケーション設定をおこなう際に実行される「設定処理」を、図１３に示すフローチャートを参照して説明する。この「設定処理」は、ユーザが操作部１３１を操作して設定開始を指示したことを契機に開始される。
【００９１】
処理が開始されると、設定部１１２は、記憶部１８０の実行条件情報Ｃ１（＝設定情報Ｓ１）にアクセスし、移動体通信端末１００をクレードル２００に接続した際に自動起動させるアプリケーションを示す自動起動フラグがセットされているか否かを判別する。すなわち、自動起動アプリケーションがすでに設定されているか否かを判別する（ステップＳ１０１）。
【００９２】
自動起動アプリケーションがすでに設定されている場合（ステップＳ１０１：Ｙｅｓ）、設定部１１２は、設定されている自動起動設定を変更するか否かをユーザに問い合わせる「設定変更確認画面」（図１４（ａ））を作成し、表示部１４１に表示する（ステップＳ１０２）。
【００９３】
ユーザは、操作部１３１を操作し、設定変更する場合には「はい」を、設定変更しない場合には「いいえ」を選択する。設定部１１２は、操作部１３１からの入力に基づいて、ユーザが設定変更するか否かを判別する（ステップＳ１０３）。設定変更しない場合（ステップＳ１０３：Ｎｏ）は、そのまま処理を終了する。
【００９４】
一方、設定変更する場合（ステップＳ１０３：Ｙｅｓ）、あるいは、自動起動アプリケーションが設定されていない場合（ステップＳ１０１：Ｎｏ）、設定部１１２は、自動起動アプリケーションをユーザに選択させるための「自動起動設定画面」（図１４（ｂ））を表示部１４１に表示する（ステップＳ１０４）。
【００９５】
ユーザは、操作部１３１を操作し、クレードル２００に接続した際に自動起動させたいアプリケーションを選択する。設定部１１２は、操作部１３１からの入力に基づいて、ユーザがアプリケーションを選択した場合（ステップＳ１０５：Ｙｅｓ）、記憶部１８０の実行条件情報Ｃ１（＝設定情報Ｓ１）にアクセスし、選択されたアプリケーションに対応する自動起動フラグをセット（０→１）する（ステップＳ１０６）。
【００９６】
自動起動対象のアプリケーションが設定されると、設定部１１２は、選択されたアプリケーションについてのオプション設定をユーザに設定させるための「オプション設定画面」（図１４（ｃ））を表示部１４１に表示する（ステップＳ１０７）。
【００９７】
ユーザは、操作部１３１を操作し、選択したアプリケーションについてのオプション設定を入力する。設定部１１２は、操作部１３１からの入力に基づいて、ユーザがオプション設定を入力した場合（ステップＳ１０８：Ｙｅｓ）、記憶部１８０の実行条件情報Ｃ１（＝設定情報Ｓ１）にアクセスし、入力されたオプション設定を記録して（ステップＳ１０９）、処理を終了する。
【００９８】
これにより、ユーザが所望する自動起動対象のアプリケーションとそのオプション設定を示した設定情報Ｓ１が記憶部１８０に格納される。
【００９９】
次に、クレードル２００に接続した場合の動作の移動体通信端末１００の動作を説明する。ここでは、クレードル２００に接続した際に移動体通信端末１００の制御部１１０が実行する「アプリケーション実行処理（１）」を、図１５に示すフローチャートを参照して以下説明する。この「アプリケーション実行処理（１）」は、移動体通信端末１００がクレードル２００に接続されたことを契機に開始される。すなわち、接続検出部１１１が、移動体通信端末１００のコネクタ部１６０とクレードル２００の給電用コネクタとの接続を検出したことを契機に開始される。
【０１００】
この場合、コネクタの接続によってクレードル２００からの給電が開始され、コネクタ部１６０から電源部１７０に電力が供給されると、電源部１７０がその旨を制御部１１０に通知する。接続検出部１１１は、電源部１７０からの通知に基づいて、移動体通信端末１００がクレードル２００に接続されたことを検出する。
【０１０１】
クレードル２００との接続が検出されて処理が開始されると、電源制御部１１６は、移動体通信端末１００の電源がオフであるか否かを判別し（ステップＳ２０１）、オフである場合（ステップＳ２０１：Ｙｅｓ）は、移動体通信端末１００の電源をオンにする（ステップＳ２０２）。すなわち、電源がオフとなっている移動体通信端末１００をクレードル２００に接続すると、自動的に電源がオンとなる。
【０１０２】
次に、アプリケーション制御部１１３が記憶部１８０の設定情報Ｓ１にアクセスし、アプリケーションの自動起動設定がされているか否か、すなわち、自動起動フラグのセットされている設定があるか否かを判別する（ステップＳ２０３）。
【０１０３】
アプリケーションの自動起動設定がされていない場合（ステップＳ２０３：Ｎｏ）、電源制御部１１６が移動体通信端末１００の電源オフを電源部１７０に指示する。この場合、電源制御部１１６からの指示に応じて、電源部１７０が移動体通信端末１００の電源をオフすることで（ステップＳ２０４）、処理を終了する。すなわち、自動起動させるアプリケーションが設定されていない移動体通信端末１００をクレードル２００に接続した場合は、移動体通信端末１００の電源が自動的にオフされる。この場合、移動体通信端末１００は、専ら電源部１７０のバッテリへの充電をおこなうことになる。
【０１０４】
一方、アプリケーションの自動起動設定がされている場合（ステップＳ２０３：Ｙｅｓ）、アプリケーション制御部１１３は、設定情報Ｓ１に基づいて、自動起動設定されているアプリケーションがいずれであるかを認識する（ステップＳ２０５）。
【０１０５】
次にアプリケーション制御部１１３は、スタイル検出部１５０に現在の移動体通信端末１００のスタイルがいずれであるかを問い合わせる。スタイル検出部１５０は、アプリケーション制御部１１３からの問い合わせに応じて、開閉検出センサ１５１および回転検出センサ１５２からの検出信号に基づいて検出された移動体通信端末１００のスタイルを示す情報（以下、「スタイル情報」とする）をアプリケーション制御部１１３に通知する。
【０１０６】
アプリケーション制御部１１３は、スタイル検出部１５０からスタイル情報を取得することで、移動体通信端末１００の現在のスタイル、すなわち、クレードル２００に接続された移動体通信端末１００のスタイルを認識する（ステップＳ２０６）。
【０１０７】
アプリケーション制御部１１３は、記憶部１８０の実行条件情報Ｃ１にアクセスし、ステップＳ２０６で認識したスタイルが、ステップＳ２０５で認識したアプリケーションの実行条件に合致しているか否かを判別する（ステップＳ２０７）。
【０１０８】
すなわち、移動体通信端末１００がそれぞれのスタイルでクレードル２００に接続されたときの物理的な方向を判断し、これに基づいて、実行条件情報Ｃ１に設定されている実行条件に合致するスタイルであるか否かを判別する。
【０１０９】
例えば、テレビジョン受信機能やスライドショー機能などといった、画面表示が主体となるアプリケーションを実行する場合は、表示画面（表示部１４１）がユーザに向いていなければならない（表示画面が前面）。よって、移動体通信端末１００のコネクタ部１６０とクレードル２００の給電コネクタとが係合するように移動体通信端末１００とクレードル２００を接続した場合（すなわち、正規の接続方向で接続した場合）、移動体通信端末１００のスタイルがオープンスタイルもしくはビュースタイルであれば実行条件を満たすことになる。
【０１１０】
一方、オーディオ再生機能やラジオ受信機能などといった、音声再生が主体となるアプリケーションを実行する場合は、メインスピーカ１４３の報音方向がユーザに向いていなければならない。よって、正規の接続方向で移動体通信端末１００とクレードル２００を接続した場合、移動体通信端末１００のスタイルが反転オープンスタイルであれば実行条件を満たすことになる。
【０１１１】
このように、アプリケーション毎の実行条件と現在の移動体通信端末１００のスタイルとに基づいて、アプリケーション制御部１１３は、自動起動設定されているアプリケーションが実行可能であるか否かを判別することになる。
【０１１２】
現在の移動体通信端末１００のスタイルが、自動起動設定されたアプリケーションの実行条件に合致し、実行可能であると判別された場合（ステップＳ２０７：Ｙｅｓ）、アプリケーション制御部１１３はさらに、当該アプリケーションが画面表示を伴うものであるか否か、すなわち、表示部１４１を使用するものであるか否かを判別する（ステップＳ２０８）。
【０１１３】
当該アプリケーションが画面表示を伴うもの、すなわち、テレビジョン受信機能やスライドショー機能などのアプリケーションである場合（ステップＳ２０８：Ｙｅｓ）、表示制御部１１５が、ステップＳ２０６で判別された移動体通信端末１００のスタイルに基づいて、表示方向を決定し、当該表示方向で表示されるよう表示部１４１を制御する（ステップＳ２０９）。
【０１１４】
すなわち、画面表示を伴うアプリケーションの実行条件として、本実施形態では、オープンスタイルかビュースタイルが該当するが、オープンスタイルとビュースタイルとでは画面方向（縦横比）が異なる。よって、表示制御部１１５は、現在の移動体通信端末１００のスタイルにおける表示部１４１の画面方向に合った表示方向となるよう表示部１４１を制御する。
【０１１５】
このように、実行対象のアプリケーションが表示部１４１を用いるものであれば表示制御をおこなってから、アプリケーション制御部１１３が当該アプリケーションの実行開始をアプリケーション実行部１１４に指示する。また、実行対象のアプリケーションが表示部１４１を用いるものではない場合（ステップＳ２０８：Ｎｏ）は、表示制御をおこなわずに、当該アプリケーションの実行をアプリケーション制御部１１３がアプリケーション実行部１１４に指示する。アプリケーション実行部１１４は、アプリケーション制御部１１３の指示に応じて当該アプリケーションを実行して（ステップＳ２１０）、処理を終了する。このとき、アプリケーション実行部１１４は、記憶部１８０の設定情報Ｓ１にアクセスし、当該アプリケーションに設定されているオプション設定に基づいた動作をおこなう。例えば、テレビジョン受信機能やラジオ受信機能のアプリケーションにチャンネルが設定されている場合、アプリケーション実行部１１４は当該チャンネルに選局して受信を開始する。また、オーディオ再生機能やスライドショー機能などのアプリケーションに再生対象データが設定されている場合、当該データにアクセスして再生を開始する。
【０１１６】
以上説明したように、本実施形態にかかる移動体通信端末１００によれば、クレードル２００と接続した際に、予め設定したアプリケーションが自動的に実行される。この場合において、クレードル２００と接続した移動体通信端末１００のスタイルが、設定されたアプリケーションの実行に適したスタイルである場合にのみ、当該アプリケーションが実行されるので、好適な状態でアプリケーションを実行することができる。換言すれば、クレードル２００との接続時において、ユーザが移動体通信端末１００のスタイルを変更することで、設定したアプリケーションを自動起動させるか否かを選択することができる。よって、細かな操作をすることなく、所望する動作を実行させることができる。
【０１１７】
（実施形態２）
上記実施形態１では、予め設定された各アプリケーションの実行条件と移動体通信端末１００のスタイルとに基づいて、自動起動設定されたアプリケーションが実行可能であるか否かを判別したが、移動体通信端末１００のスタイルをアプリケーションの実行条件として各アプリケーションと対応づけておいてもよい。この場合の動作例を実施形態２として以下説明する。なお、本実施形態にかかる移動体通信端末１００およびクレードル２００の構成は実施形態１の場合と同様である。すなわち、同一の構成については同一の参照符号を付すものとする。
【０１１８】
なお、実施形態１と本実施形態とでは、記憶部１８０に格納される実行条件情報（設定情報）が異なる。本実施形態にかかる実行条件情報Ｃ２の例を図１６（ａ）に示す。図示するように、本実施形態にかかる実行条件情報Ｃ２には、移動体通信端末１００により保持可能なスタイル毎に起動させるアプリケーションが設定されている。例えば、「オープンスタイル」には「待ち受け画面表示アプリケーション」が設定され、「反転オープンスタイル」には「オーディオ再生アプリケーション」が設定され、「ビュースタイル」には「テレビジョン受信アプリケーション」が設定されている。また、「クローズスタイル」には、いずれのアプリケーションも設定されていない。
【０１１９】
また、本実施形態では、各アプリケーションの動作設定を示したアプリケーション設定を示す設定情報Ｓ２が記憶部１８０に格納される。この設定情報Ｓ２の例を図１６（ｂ）に示す。図示するように、設定情報Ｓ２には、各アプリケーションのオプション設定情報が記録される。このオプション設定は、実施形態１で例示したもの（図１２参照）と同様である。したがって、実施形態１の「設定処理」と同様の処理をおこなうことで、ユーザが各アプリケーションのオプション設定をおこなうものとする。
【０１２０】
以下、このような実行条件情報Ｃ２や設定情報Ｓ２を用いた「アプリケーション実行処理（２）」を、図１７に示すフローチャートを参照して説明する。この処理も、実施形態１の場合と同様に、移動体通信端末１００がクレードル２００に接続されたことを契機に開始される。
【０１２１】
処理が開始されると、アプリケーション制御部１１３がスタイル検出部１５０に、移動体通信端末１００の現在のスタイルがいずれであるかを問い合わせる（ステップＳ３０１）。
【０１２２】
スタイル検出部１５０は、アプリケーション制御部１１３からの問い合わせに応じて、開閉検出センサ１５１や回転検出センサ１５２からの検出信号に基づいて検出した移動体通信端末１００のスタイルを示すスタイル情報をアプリケーション制御部１１３に通知する。
【０１２３】
アプリケーション制御部１１３は、スタイル検出部１５０からの通知に基づいて、移動体通信端末１００の現在のスタイルがいずれであるかを認識する（ステップＳ３０２）。
【０１２４】
次に、アプリケーション制御部１１３は、記憶部１８０の実行条件情報Ｃ２にアクセスし、ステップＳ３０２で認識したスタイルにアプリケーションが対応づけられているか否かを判別する（ステップＳ３０３）。
【０１２５】
現在の移動体通信端末１００のスタイルに対応するアプリケーションが設定されていない場合（ステップＳ３０３：Ｎｏ）、そのまま処理を終了する。この場合、移動体通信端末１００では、専ら電源部１７０のバッテリへの充電がおこなわれる。
【０１２６】
一方、現在の移動体通信端末１００のスタイルに対応するアプリケーションが設定されている場合（ステップＳ３０３：Ｙｅｓ）、アプリケーション制御部１１３は、当該アプリケーションがいずれであるかを認識する（ステップＳ３０４）。
【０１２７】
起動対象アプリケーションを認識すると、アプリケーション制御部１１３は、当該アプリケーションの実行開始をアプリケーション実行部１１４に指示する（ステップＳ３０５）。アプリケーション実行部１１４は、アプリケーション制御部１１３からの指示に応じて、記憶部１８０の設定情報Ｓ２にアクセスし、認識されたアプリケーションについてのオプション設定を認識する（ステップＳ３０６）。
【０１２８】
アプリケーション実行部１１４は、ステップＳ３０６で認識したオプション設定に基づいて、ステップＳ３０４で認識されたアプリケーションを実行して（ステップＳ３０７）、処理を終了する。
【０１２９】
以上説明したように、本実施形態にかかる処理により、クレードル２００と接続した移動体通信端末１００のスタイルに好適な所定のアプリケーションが自動的に実行される。
【０１３０】
（実施形態３）
上記実施形態では、移動体通信端末１００をクレードル２００に接続した際に、所定のアプリケーションを自動的に実行させるものとしたが、接続時に実行中のアプリケーションがある場合は、当該アプリケーションの継続実行を優先させるよう動作してもよい。この場合の移動体通信端末１００の動作例を実施形態３として以下説明する。
【０１３１】
ここでは、移動体通信端末１００が実行する「アプリケーション実行処理（３）」を、図１８に示すフローチャートを参照して説明する。この処理も、移動体通信端末１００がクレードル２００と接続されたことを契機に開始される。
【０１３２】
処理が開始されると、アプリケーション制御部１１３は、アプリケーション実行部１１４によるアプリケーション実行がされていない状態であるか否かを判別する（ステップＳ４０１）。
【０１３３】
アプリケーション実行部１１４によるアプリケーション実行がされていない場合（ステップＳ４０１：Ｙｅｓ）、アプリケーション制御部１１３はさらに、操作部１３１からの入力信号の有無などに基づいて、ユーザによる操作がされていない状態であるか否かを判別する（ステップＳ４０２）。
【０１３４】
ユーザによる操作がされていない場合（ステップＳ４０２：Ｙｅｓ）、アプリケーション実行部１１４は、記憶部１８０の設定情報と移動体通信端末１００のスタイルに基づいてアプリケーションを実行して（ステップＳ４０３）、処理を終了する。この場合、上記実施形態１にかかる「アプリケーション実行処理（１）」や上記実施形態２にかかる「アプリケーション実行処理（２）」などと同様の処理をおこなうことにより、移動体通信端末１００の現在のスタイルと設定内容に応じたアプリケーションが実行される。より詳細には、アプリケーション制御部１１３により、実行するアプリケーションがいずれであるかの認識、当該アプリケーションが実行可能であるか否かの判別などがおこなわれ、アプリケーション制御部１１３からの指示によってアプリケーション実行部１１４がアプリケーションを実行する。
【０１３５】
一方、移動体通信端末１００をクレードル２００に接続した際に、アプリケーションが実行されていた場合（ステップＳ４０１：Ｎｏ）、アプリケーション実行部１１４は、当該アプリケーションをそのまま継続実行して（ステップＳ４０４）、処理を終了する。
【０１３６】
また、移動体通信端末１００をクレードル２００に接続した際に、ユーザによる操作がある場合（ステップＳ４０２：Ｎｏ）、制御部１１０は、当該操作に応じた動作をおこなって（ステップＳ４０５）、処理を終了する。
【０１３７】
以上のような処理により、アプリケーション実行中の移動体通信端末１００をクレードル２００に接続した場合は、当該アプリケーションの実行が継続される。また、ユーザによる操作がある場合には、当該操作に応じた動作が実行される。したがって、自動起動アプリケーションを設定してある場合であっても、他の動作がある場合には当該動作を優先させることができる。これにより、例えば、携帯使用中にアプリケーションを実行していたときに、商用電源による安定した電力で使用すべくクレードル２００に接続させた場合であっても、自動起動設定してある他のアプリケーションに切り替わってしまうことがない。
【０１３８】
以上説明したように、本発明にかかる実施形態によれば、移動体通信端末１００をクレードル２００に接続した場合において好適なアプリケーションが自動的に実行されるので、ユーザの利便性を向上させることができる。この場合において、クレードル２００に接続された移動体通信端末１００のスタイルに応じた好適なアプリケーションが実行されるので、各機能の性能を十分に発揮させるように動作させることができる。
【０１３９】
上記各実施形態は一例であり、本発明の適用範囲はこれに限られない。すなわち、種々の応用が可能であり、あらゆる実施形態が本発明の範囲に含まれる。
【０１４０】
例えば、上記各実施形態で示したアプリケーションの種類や設定内容は一例であり、移動体通信端末１００で実行可能な動作に関するものであれば、任意のアプリケーションや設定内容が含まれていてもよい。例えば、移動体通信端末１００にカメラ機能が備えられている場合、移動体通信端末１００の筐体上にあるレンズの向きに関連するスタイルに基づいて、カメラ機能に関するアプリケーションを自動起動させるようにしてもよい。あるいは、例えば、ビュースタイルでクレードル２００に接続した場合に、横長方向の画面でウェブページを表示するようにウェブ表示アプリケーション（すなわち、ブラウザ）を自動起動させてもよい。
【０１４１】
上記各実施形態では、移動体通信端末１００とクレードル２００とが接続されたことを契機にアプリケーションを自動起動させるものとしたが、例えば、移動体通信端末１００とクレードル２００との接続が解除されたことを契機に、実行したアプリケーションを終了させるように動作してもよい。すなわち、接続が解除されることで、クレードル２００からの給電がなくなり、バッテリによって移動体通信端末１００が駆動されるが、この場合にアプリケーションの実行を終了することで、バッテリの消費を抑えることができる。なお、クレードル２００との接続解除は、クレードル２００からの給電断を電源部１７０が接続検出部１１１に通知することで、接続検出部１１１がクレードル２００との接続解除を検出することができる。
【０１４２】
上記実施形態３では、アプリケーション実行中の移動体通信端末１００をクレードル２００に接続した場合は、当該アプリケーションの実行を継続させたが、実行中のアプリケーションと自動起動設定されたアプリケーションが異なる場合には、自動起動設定されたアプリケーションに切り換えるよう動作してもよい。
【０１４３】
また、上記各実施形態では、２軸式の折りたたみ型である移動体通信端末１００を例に説明したが、筐体による複数のスタイル（形態）を保持することができるのであれば、任意の方式（例えば、スライド式など）であってもよい。
【０１４４】
なお、上記各実施形態で示した筐体とアプリケーションの実行時に使用される装置（表示部１４１やメインスピーカ１４３など）の配置等は一例であり、任意の配置であってもよい。つまり、これらの配置に応じた実行条件情報や設定情報を用意しておくことにより、種々の形態の移動体通信端末に本発明を適用することができる。また、実行条件情報および設定情報のそれぞれは、移動体通信端末１００のメーカなどによって予め設定されていても、ユーザによって任意に設定されてもよい。
【０１４５】
また、上記各実施形態では、移動体通信端末１００のコネクタ部１６０とクレードル２００の給電コネクタとの接続に基づいて、移動体通信端末１００とクレードル２００との接続を検出したが、検出方法はこれに限られず任意である。例えば、電力用コネクタ以外のコネクタ（例えば、パーソナルコンピュータなどと接続するためのデータ通信用コネクタなど）との接続に基づいて、移動体通信端末１００とクレードル２００との接続を検出してもよい。あるいは、所定のセンサを移動体通信端末１００もしくはクレードル２００に配置することで、クレードル２００に移動体通信端末１００が載置されたことを検出するようにしてもよい。
【０１４６】
なお、上記各実施形態の移動体通信端末１００のように、本発明にかかる構成を予め有する移動体通信端末によって本発明を実現できることはもとより、複数のアプリケーション実行機能を有する既存の移動体通信端末にプログラムを適用することでも本発明を実現することができる。
【０１４７】
この場合、既存の移動体通信端末を制御するコンピュータ（例えば、ＣＰＵ）が、上記実施形態の制御部１１０によって実現される各機能構成として機能させるプログラムを適用することで、既存の移動体通信端末を上記実施形態の移動体通信端末１００として機能させることができる。すなわち、上記実施形態の制御部１１０が実行した動作プログラムと同様の動作プログラムを、既存の移動体通信端末の記憶装置にインストールし、これを当該移動体通信端末の制御装置（ＣＰＵ）が実行することで、本発明にかかる移動体通信端末として機能させることができる。
【０１４８】
このようなプログラムを提供する形態は任意であり、例えば、インターネットなどの通信媒体を介して配布することで提供可能であることはもとより、例えば、所定の記録媒体（例えば、メモリカードなど）に格納して提供することができる。
【図面の簡単な説明】
【０１４９】
【図１】本発明の実施形態にかかる移動体通信端末の外観構成を示す図であり、（ａ）はオープンスタイル時の主面側を示し、（ｂ）はオープンスタイル時の外面側を示す。
【図２】図１に示す移動体通信端末の筐体の動作を説明するための図である。
【図３】図１に示す移動体通信端末のスタイル例を示す図であり、（ａ）はクローズスタイル時の側面図であり、（ｂ）はクローズスタイル時の平面図である。
【図４】図１に示す移動体通信端末のスタイル例を示す図であり、（ａ）は反転オープンスタイル時の平面図であり、（ｂ）は反転オープンスタイル時の側面図である。
【図５】図１に示す移動体通信端末のスタイル例を示す図であり、（ａ）はビュースタイル時の側面図であり、（ｂ）はビュースタイル時の平面図である。
【図６】本発明の実施形態にかかるクレードルの外観を示す図である。
【図７】図６に示すクレードルと移動体通信端末とが接続された状態を説明するための図である。
【図８】図６に示すクレードルと移動体通信端末とが接続された状態を説明するための図である。
【図９】移動体通信端末のコネクタ部を説明するための図であり、（ａ）は図１に示す移動体通信端末の左側側面を示し、（ｂ）は図１に示す移動体通信端末の右側側面を示す。
【図１０】本発明の実施形態にかかる移動体通信端末の構成を示すブロック図である。
【図１１】図１０に示す制御部により実現される機能構成を示す機能ブロック図である。
【図１２】図１０に示す記憶部に格納される実行条件情報（設定情報）の例を示す図である。
【図１３】本発明の実施形態にかかる「設定処理」を説明するためのフローチャートである。
【図１４】図１３に示す設定処理における画面表示例を示す図であり、（ａ）は「設定変更確認画面」の表示例を示し、（ｂ）は「自動起動設定画面」の表示例を示し、（ｃ）は「オプション設定画面」の表示例を示す。
【図１５】本発明の実施形態１にかかる「アプリケーション実行処理（１）」を説明するためのフローチャートである。
【図１６】本発明の実施形態２において記憶部に格納される情報の例を示す図であり、（ａ）は実行条件情報の例を示し、（ｂ）は設定情報の例を示す。
【図１７】本発明の実施形態２にかかる「アプリケーション実行処理（２）」を説明するためのフローチャートである。
【図１８】本発明の実施形態３にかかる「アプリケーション実行処理（３）」を説明するためのフローチャートである。
【符号の説明】
【０１５０】
１００…移動体通信端末、１００Ａ…筐体、１００Ｂ…筐体、ＤＨ…２軸ヒンジ部、ＨＢ…ヒンジベース、ＨＢ（Ｒ）…右ヒンジベース、ＨＢ（Ｌ）…左ヒンジベース、１１０…制御部、１１１…接続検出部、１１２…設定部、１１３…アプリケーション制御部、１１４…アプリケーション実行部、１１５…表示制御部、１１６…電源制御部、１２０…通信制御部、１２１…音声通信部、１２２…データ通信部、１２３…放送受信部、１２４…アンテナ部、１３０…入力部、１３１…操作部、１３２…送話用マイクロフォン、１４０…出力部、１４１…表示部、１４２…受話用スピーカ、１４３…メインスピーカ、１５０…スタイル検出部、１６０…コネクタ部、１７０…電源部、１８０…記憶部
【図１】
2007049562.tif 000003
【図２】
2007049562.tif 000004
【図３】
2007049562.tif 000005
【図４】
2007049562.tif 000006
【図５】
2007049562.tif 000007
【図６】
2007049562.tif 000008
【図７】
2007049562.tif 000009
【図８】
2007049562.tif 000010
【図９】
2007049562.tif 000011
【図１０】
2007049562.tif 000012
【図１１】
2007049562.tif 000013
【図１２】
2007049562.tif 000014
【図１３】
2007049562.tif 000015
【図１４】
2007049562.tif 000016
【図１５】
2007049562.tif 000017
【図１６】
2007049562.tif 000018
【図１７】
2007049562.tif 000019
【図１８】
2007049562.tif 000020